(57)【要約】      （修正有）【課題】携帯情報端末機の表面に傷が付き難く、衝撃に対しても耐久性が増すと共に、使用者又は非使用者（使用者が試用している姿を見る者）の視覚に訴えかけ、その装飾性ないし娯楽性を高める携帯情報端末機用のカバーを提供する。【解決手段】カバー本体Ｃはセンサ部を内蔵している。例えば、センサ部は、主に携帯情報端末機Ｇの発する音を検出する音センサ、携帯情報端末機器Ｇの状態を検出する状態センサ、携帯情報端末機器Ｇをつかんだ状態を検出する把持センサを備える場合がある。センサ部は、制御器（ＭＰＵ）によって制御されており、制御器（ＭＰＵ）は各センサの感知信号に基づいて制御器（ＭＰＵ）に内蔵されたメモリから所定のデータ（複数の発光パターンからなるデータ）を読み出し、発光部Ｌに発光信号を出力して所定の発光を実行させる。【選択図】図１
0003126064.tif 000002
【実用新案登録請求の範囲】
【請求項１】
センサ部と発光部とを備えるカバー本体からなり、前記センサ部は携帯情報端末機が発する音を感知するものであり、前記発光部は前記センサ部が音を感知して出力する発光信号に応じて発光するものであることを特徴とする携帯情報端末機用のカバー。
【請求項２】
前記センサ部が、携帯情報端末機が発する少なくとも二の音を周波数によって区別して感知するものであり、一の音を感知して出力する発光信号に応じて発光する発光部の発光パターンと、他の音を感知して出力する発光信号に応じて発光する発光部の発光パターンを異ならしめたことを特徴とする請求項１記載の携帯情報端末機用のカバー。
【請求項３】
センサ部と発光部とを備えるカバー本体からなり、前記センサ部は携帯情報端末機の水平状態又は傾斜状態の少なくとも一方を感知するものであり、前記発光部は前記センサ部が携帯情報端末の前記状態を感知して出力する発光信号に応じて発光するものであることを特徴とする携帯情報端末機用のカバー。
【請求項４】
センサ部と発光部とを備えるカバー本体からなり、前記センサ部は携帯情報端末機を使用者が把持したことを感知するものであり、前記発光部は前記センサ部が前記把持した状態を感知して出力する発光信号に応じて発光するものであることを特徴とする携帯情報端末機用のカバー。
【請求項５】
カバー本体が一対のカバー片からなることを特徴とする請求項１、２、３又は４記載の携帯情報端末機用のカバー。
【考案の詳細な説明】
【技術分野】
【０００１】
本考案は携帯用ゲーム機などの携帯情報端末機用のカバーに関する。
【背景技術】
【０００２】
近年、携帯情報端末機が広く普及してきた。かかる携帯情報端末機は小型で持ち運びが容易であり、多種のソフトを楽しむことができるという利点がある。
【考案の開示】
【考案が解決しようとする課題】
【０００３】
しかし、携帯情報端末機は、特定の場所に恒常的に載置されるのではなく、持ち運ばれて頻繁に移動する性質上、表面が破損し易いという問題がある。例えば鞄に収納して持ち運ぶ場合であれば他の収納物と接触することによって表面に傷が付く。
【０００４】
加えて、携帯情報端末機は、自宅で使用するよりもむしろ移動中や学校・会社での休み時間等使用される場合が多いので、身に付ける衣服や装飾品等と同様に、他者の視線を受けることから装飾的手段を備えることが好ましい。
【課題を解決するための手段】
【０００５】
そこで、本考案は、センサ部と発光部とを備えるカバー本体からなり、前記センサ部は携帯情報端末機が発する音を感知するものであり、前記発光部は前記センサ部が音を感知して出力する発光信号に応じて発光するものであることを特徴とする携帯情報端末機用のカバーである（請求項１）。
【０００６】
また、本考案は、前記センサ部が、携帯情報端末機が発する少なくとも二の音を周波数によって区別して感知するものであり、一の音を感知して出力する発光信号に応じて発光する発光部の発光パターンと、他の音を感知して出力する発光信号に応じて発光する発光部の発光パターンを異ならしめたことを特徴とする請求項１記載の携帯情報端末機用のカバーである（請求項２）。
【０００７】
また、本考案は、センサ部と発光部とを備えるカバー本体からなり、前記センサ部は携帯情報端末機の水平状態又は傾斜状態の少なくとも一方を感知するものであり、前記発光部は前記センサ部が携帯情報端末の前記状態を感知して出力する発光信号に応じて発光するものであることを特徴とする携帯情報端末機用のカバーである（請求項３）。
【０００８】
また、本考案は、センサ部と発光部とを備えるカバー本体からなり、前記センサ部は携帯情報端末機を使用者が把持したことを感知するものであり、前記発光部は前記センサ部が前記把持した状態を感知して出力する発光信号に応じて発光するものであることを特徴とする携帯情報端末機用のカバーである（請求項４）。
【０００９】
また、本考案は、カバー本体が一対のカバー片からなることを特徴とする請求項１、２、３又は４記載の携帯情報端末機用のカバーである（請求項５）。
【考案の効果】
【００１０】
携帯情報端末機用カバーによれば、携帯情報端末機の表面を覆うカバー体を備えているから、携帯情報端末機の表面に傷が付き難く、また衝撃に対しても耐久性が増す。
【００１１】
さらに、発光部とセンサ部とを備えており、記センサ部は携帯情報端末機が生じる音、携帯情報端末機の状態（水平状態や傾斜状態）、携帯情報端末機を把持しているか、を感知するものであり、前記発光部は前記センサが感知信号に応じて発光するものであるから、使用者又は非使用者（使用者が試用している姿を見る者）の視覚に訴えかけ、その装飾性ないし娯楽性を高める。
【考案を実施するための最良の形態】
【００１２】
以下、本考案の実施例を図１〜図２を参照しながら説明する。
【００１３】
本実施例に係る携帯情報端末機用カバーは、センサ部を内臓すると共に、表面に露出する発光部Ｌとを備えるカバー本体Ｃ（ＣＳ、ＣＳ）からなり、前記センサ部は携帯情報端末機Ｇが発する音（携帯情報端末機Ｇに内蔵されたスピーカーから生じる音）等を感知するものであり、前記発光部Ｌは前記センサ部が感知した音等に応じて発光するものである。
【００１４】
カバー本体Ｃは、携帯情報端末機Ｇの外表面を覆うものである。すなわち、カバー本体Ｃは（携帯情報端末機Ｇ側）に開口を有する断面略コの字状の扁平な箱体であって、その開口から携帯情報端末機Ｇを嵌め込むことにより、携帯情報端末機Ｇに取り付けられる。
【００１５】
具体的には、携帯情報端末機Ｇはヒンジ機構を介して回動自在に連結する上部Ｕと下部Ｄとからなり、携帯情報端末機Ｇの上部Ｕは上面Ｕ１、左右側面Ｕ２、Ｕ２、前後側面Ｕ３、Ｕ３を有するところ、カバー本体Ｃは携帯情報端末機Ｇの上部Ｕを覆うものである。すなわち、カバー本体Ｃは上面Ｃ１、左右側面Ｃ２、Ｃ２及び前側面Ｃ３を有しているところ、携帯情報端末機Ｇの上部Ｕの上面Ｕ１、左右側面Ｕ２、Ｕ２及び前側面Ｕ３のそれぞれの表面に、カバー本体Ｃの上面Ｃ１、左右側面Ｃ２、Ｃ２及び前側面Ｃ３の裏面がそれぞれ対向して当接するように取り付けられる。
【００１６】
なお、カバー本体Ｃは左右一対のカバー片ＣＳ、ＣＳからなり、左カバー片ＣＳと右カバー片ＣＳの間隔ｄが所定範囲で変動可能に構成されている。つまり、カバー本体Ｃを携帯情報端末機Ｇに取り付けようとするときは、左カバー片ＣＳと右カバー片ＣＳとの間隔ｄを広げた状態とし、その状態のまま一旦携帯情報端末機Ｇの上部Ｕに載置し、その後左カバー片ＣＳと右カバー片ＣＳの間隔ｄを狭めてゆき、左カバー片ＣＳの左側面Ｃ２（の裏面）と携帯情報端末機Ｇの上部Ｕの左側面Ｕ２とを当接させ、右カバー片ＣＳの右側面Ｃ２（の裏面）と携帯情報端末機Ｇの上部Ｕの右側面Ｕ２とを当接させる。そうすると、カバー本体Ｃの左側面Ｃ２及び右側面Ｃ２の両者で携帯情報端末機Ｇの上部Ｕ（の左右側面Ｕ２、Ｕ２）を挟持するようになる。この状態において、固定パーツＰによって左カバー片ＣＳと右カバー片ＣＳの間隔ｄを固定する。なお、固定パーツＰはカバー片ＣＳ、ＣＳのそれぞれに形成された溝孔ＣＧに対して挿入して係止することによって、左カバー部ＣＳと右カバーＣＳの間隔ｄを固定する。このようにして、カバー本体Ｃを携帯情報端末機Ｇに取り付けられる。
【００１７】
カバー本体Ｃの上面Ｃ１には発光部Ｌを設けている。発光部Ｌは例えばＬＥＤ（発光ダイオード）であり、カバー本体Ｃに形成された円形の溝に取り付けられ、溝の開口から表面に露出している。本実施例においては、左カバー片ＣＳの中央付近に発光部Ｌを７個、右カバー片ＣＳの中央付近に発光部Ｌを７個設けている。なお、発光部Ｌを発光させるための電源はカバー本体Ｃに内蔵された電池によって供給される。
【００１８】
カバー本体Ｃはセンサ部を内蔵している。たとえば、センサ部は主に携帯情報端末機Ｇの発する音を検出する音センサ、携帯情報端末機Ｇの状態を検出する状態センサ、携帯情報端末機Ｇをつかんだ状態を検出する把持センサで構成される。本考案は、これらの各種センサのうち一のセンサを備える場合や、複数のセンサを備える場合がある。
【００１９】
センサ部は制御機（ＭＰＵ）によって制御されており、制御機（ＭＰＵ）は各センサの感知信号に基いて制御機（ＭＰＵ）に内臓されたメモリから所定のデータ（複数の発光パターンからなるデータ）を読み出し、発光部Ｌに発光信号を出力して所定の発光を実行させる。
【００２０】
音センサは、携帯情報端末機Ｇのスピーカから生じる音を感知するものである。音センサによる場合、携帯情報端末機Ｇから音が生じると発光部Ｌに対して発光信号が出力される。また、音センサは携帯情報端末機Ｇが生じる複数の音を波長域毎に区別して感知することが可能であり、この場合波長域に応じた発光信号を出力することができる。
【００２１】
たとえば、一の音を感知して出力する発光信号に応じて発光する発光部の発光パターンと、他の音を感知して出力する発光信号に応じて発光する発光部の発光パターンを異ならしめることができる。発光パターンを異ならしめるとは、たとえば、発光部が点滅する時間間隔を異ならしめたり、発光色を異ならしめたり、複数の発光部の点滅パターン（例えば、複数の発光素子からなる一列の発光部において、点灯状態にある発光素子と点灯状態にない発光素子を任意に組み合わせるた状態）を異ならしめたりすることである。
【００２２】
状態センサは傾きセンサであり、携帯情報端末機Ｇの状態について、水平状態又は傾斜状態などの状態を感知するものである。該センサによる場合、水平状態が感知されると発光部Ｌに対して発光信号が出力される。また傾斜状態が感知されると発光部Ｌに対して前記水平状態とは別の発光信号（発光パターンが異なる）を出力する。
【００２３】
把持センサは、携帯情報端末機Ｇを使用者が手でつかんだ状態を感知するものである。把持センサによる場合、カバー本体Ｃの表面に二つの電極を配置し、把持すると二つの電極が短絡状態となって把持状態を感知する。把持状態を感知されると発光部Ｌに対して発光信号が出力される。
【００２４】
上記した携帯情報端末機用カバーによれば、携帯情報端末機Ｇの表面を覆うカバー体Ｃを備えているから、携帯情報端末機Ｇの表面に傷が付き難く、また衝撃に対しても耐久性が増す。
【００２５】
さらに、発光部Ｌとセンサ部とを備えており、センサ部は携帯情報端末機Ｇが生じる音、携帯情報端末機の状態（例えば水平状態か傾いた状態か）、携帯情報端末機を把持しているか、を感知するものであり、前記発光部Ｌは前記センサからの発光信号に応じて発光するものであるから、使用者又は非使用者（使用者が試用している姿を見る者）の視覚に訴えかけ、その装飾性ないし娯楽性を高めている。
【００２６】
なお、携帯情報端末機Ｇの下部Ｄに対しても同様に携帯情報端末機用カバーを取り付けることが可能である。具体的には、携帯情報端末機Ｇの下部Ｕは底面Ｄ１、左右側面Ｄ２、Ｄ２、前側面Ｄ３を有するところ、カバー本体Ｃは携帯情報端末機Ｇの下部Ｄを覆うものである。すなわち、携帯情報端末機Ｇの下部Ｄの底面Ｄ１、左右側面Ｄ２、Ｄ２及び前側面Ｄ３のそれぞれの表面に、カバー本体Ｃ´の底面Ｃ１´、左右側面Ｃ２´、Ｃ２´及び前側面Ｃ３´の裏面（携帯情報端末機Ｇと接触する面）がそれぞれ対向して当接するように取り付けられる。なお、カバー本体Ｃ´は一対のカバー片ＣＳ´、ＣＳ´からなり、固定パーツＰ´によって固定される。
【００２７】
また、本考案は、携帯ゲーム機、ＰＤＡや小型ノートパソコンなどの携帯情報端末機に適用可能である。
【図面の簡単な説明】
【００２８】
【図１】本考案の実施例の分解斜視図
【図２】本考案の実施例を示す斜視図
【符号の説明】
【００２９】
Ｇ  携帯情報端末機
Ｃ  カバー本体
Ｌ  発光部
【図１】
0003126064.tif 000003
【図２】
0003126064.tif 000004